(57)【要約】  本開示のレンズ鏡筒は、複数のレンズからなる光学系と、通常撮影領域及び通常撮影領域の至近距離位置よりも近い被写体に焦点位置を変化させることができるマクロ撮影領域で、光学系の焦点位置を変化させることが可能なフォーカシング操作部と、光学系の複数のレンズ群のうち少なくとも一部のレンズ群を移動させることで、通常撮影状態とマクロ撮影状態を切り替える撮影状態切替部と、通常撮影状態における被写体距離を示す通常目盛とマクロ撮影状態における被写体距離を示すマクロ目盛とを有する指標環とを備える。そして、指標環は、撮影状態切替部の操作に応じて通常目盛とマクロ目盛とを切り替え、フォーカシング操作部の回転操作に応じた焦点位置を表示する。
2015087480.tif 000002
【特許請求の範囲】
【請求項１】
複数のレンズからなる光学系と、
通常撮影領域と前記通常撮影領域の至近距離位置よりも近い被写体に焦点位置を変化させることができるマクロ撮影領域で、前記光学系の焦点位置を変化させることが可能なフォーカシング操作部と、
前記光学系の前記複数のレンズ群のうち少なくとも一部のレンズ群を移動させることで、通常撮影状態とマクロ撮影状態を切り替える撮影状態切替部と、
前記通常撮影状態における被写体距離を示す通常目盛と前記マクロ撮影状態における被写体距離を示すマクロ目盛とを有する指標環とを備え、
前記指標環は、前記撮影状態切替部の操作に応じて前記通常目盛と前記マクロ目盛とを切り替え、前記フォーカシング操作部の回転操作に応じた焦点位置を表示する、
レンズ鏡筒。
【請求項２】
前記指標環は、前記通常撮影状態及び前記マクロ撮影状態におけるそれぞれ最近距離の表示を円周方向の同じ位相位置に表示し、前記通常撮影状態及び前記マクロ撮影状態におけるそれぞれの最遠距離の表示を円周方向の同じ位相位置に有する、
請求項１に記載のレンズ鏡筒。
【請求項３】
前記フォーカシング操作部は、オートフォーカス設定部を有し、
前記指標環は、前記通常撮影状態及び前記マクロ撮影状態のそれぞれのオートフォーカスモードの表示を、円周方向の同位相位置に有する、
請求項１に記載のレンズ鏡筒。
【請求項４】
前記指標環は、前記フォーカシング操作部と回転方向のみに係合して駆動する、
請求項１に記載のレンズ鏡筒。
【請求項５】
前記指標環と前記フォーカシング操作部との間に防塵シートが介在する、
請求項１に記載のレンズ鏡筒。
【請求項６】
請求項１から５のいずれかに記載のレンズ鏡筒を備える、撮像装置。
【発明の詳細な説明】
【技術分野】
【０００１】
本開示は、レンズ鏡筒及び撮像装置に関する。
【背景技術】
【０００２】
特許文献１は、ズームリングに設けられるロック部材でフォーカスリングの移動許容範囲を調整するレンズ鏡筒を開示する。
【先行技術文献】
【特許文献】
【０００３】
【特許文献１】特開昭５７−６６４２５号公報
【発明の概要】
【０００４】
本開示は、通常撮影とマクロ撮影の切り替えが可能なレンズ鏡筒であって、フォーカスリングの目盛表示を可能にし、通常撮影時の撮影距離範囲とマクロ撮影時の撮影距離範囲がフォーカスリングの同じ移動許容範囲で表示可能なレンズ鏡筒及び該レンズ鏡筒を備えた撮像装置を提供する。
【０００５】
本開示におけるレンズ鏡筒は、複数のレンズからなる光学系と、通常撮影領域と前記通常撮影領域の至近距離位置よりも近い被写体に焦点位置を変化させることができるマクロ撮影領域で、光学系の焦点位置を変化させることが可能なフォーカシング操作部と、光学系の複数のレンズ群のうち少なくとも一部のレンズ群を移動させることで、通常撮影状態とマクロ撮影状態を切り替える撮影状態切替部と、通常撮影状態における被写体距離を示す通常目盛とマクロ撮影状態における被写体距離を示すマクロ目盛とを有する指標環とを備える。そして、指標環は、撮影状態切替部の操作に応じて通常目盛とマクロ目盛とを切り替え、フォーカシング操作部の回転操作に応じた焦点位置を表示する。
【０００６】
本開示における撮像装置は、複数のレンズからなる光学系と、通常撮影領域と前記通常撮影領域の至近距離位置よりも近い被写体に焦点位置を変化させることができるマクロ撮影領域で、光学系の焦点位置を変化させることが可能なフォーカシング操作部と、光学系の複数のレンズ群のうち少なくとも一部のレンズ群を移動させることで、通常撮影状態とマクロ撮影状態を切り替える撮影状態切替部と、通常撮影状態における被写体距離を示す通常目盛とマクロ撮影状態における被写体距離を示すマクロ目盛とを有する指標環とを備えるレンズ鏡筒を備える。そして、レンズ鏡筒の指標環は、撮影状態切替部の操作に応じて通常目盛とマクロ目盛とを切り替え、フォーカシング操作部の回転操作に応じた焦点位置を表示する。
【０００７】
本開示におけるレンズ鏡筒は、通常撮影とマクロ撮影の切り替えが可能であり、かつ、フォーカスリングの目盛表示を可能にし、フォーカスリングの移動許容範囲を一定に保ったままでの通常撮影時の焦点位置範囲とマクロ撮影の焦点位置範囲の表示が可能である。
【図面の簡単な説明】
【０００８】
【図１】実施の形態１におけるデジタルカメラの斜視図
【図２】実施の形態１のノーマルモードにおけるレンズ鏡筒の断面構成を示す模式図
【図３】実施の形態１のマクロモードにおけるレンズ鏡筒の断面構成を示す模式図
【図４Ａ】実施の形態１のノーマルモードにおける指標環のフォーカス指標を示す図
【図４Ｂ】実施の形態１のノーマルモードにおけるフォーカス指標がオートフォーカスモードを示す場合の図
【図４Ｃ】実施の形態１のノーマルモードにおけるフォーカス指標が近距離を示す場合の図
【図５Ａ】実施の形態１のマクロモードにおける指標環のフォーカス指標を示す図
【図５Ｂ】実施の形態１のマクロモードにおけるフォーカス指標がオートフォーカスモードを示す場合の図
【図５Ｃ】実施の形態１のマクロモードにおけるフォーカス指標近距離を示す場合の図
【図６Ａ】実施の形態１における固定枠の一部展開図
【図６Ｂ】実施の形態１におけるカム枠の一部展開図
【図７Ａ】実施の形態１におけるフォーカスリング一部展開図
【図７Ｂ】実施の形態１における指標環の構成を説明する図
【図８】実施の形態２の撮像装置におけるレンズ鏡筒の断面構成を示す模式図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって請求の範囲に記載の主題を限定することを意図するものではない。
【００１１】
（実施の形態１）
［１−１．デジタルカメラの構成］
図１は、デジタルカメラ１００の斜視図である。デジタルカメラ１００は、カメラ本体１１０とレンズ鏡筒１２０を有する。レンズ鏡筒１２０は、カメラ本体１１０と一体的に構成されてもよいし、着脱可能に設けられてもよい。また、レンズ鏡筒１２０は、その外周に、ユーザーによって操作される、絞りリング１２１、フォーカスリング１２２、マクロリング１２３を備える。デジタルカメラ１００は撮像装置の一例であり、フォーカスリング１２２はフォーカシング操作部の一例である。
【００１２】
次に、レンズ鏡筒１２０の構成について説明する。図２は、ノーマルモードにおけるレンズ鏡筒１２０の断面構成を示す模式図である。図３は、マクロモードにおけるレンズ鏡筒１２０の断面構成を示す模式図である。
【００１３】
レンズ鏡筒１２０は、第１レンズ群Ｌ１と、フォーカスレンズ群Ｌ２と、第３レンズ群Ｌ３と、第４レンズ群Ｌ４と、絞りリング１２１と、フォーカスリング１２２と、マクロリング１２３と、固定枠１３０と、直進枠１４０と、ベース枠１５０と、３群保持枠１６０と、フォーカスレンズ枠１７０と、ガイド軸１７１と、指標環１８０と、カム枠１２４と、指標環駆動ピン１８２と、カム枠駆動ピン１２５と、化粧リング１９０と、を備える。直進枠１４０は、外周側に突出した直進枠駆動ピン１４１を有する。カム枠１２４は、カム枠駆動ピン１２５を介してマクロリング１２３と係合する。
【００１４】
レンズ鏡筒１２０は、ベース枠１５０に対して各部材が取り付けられるように構成されている。ベース枠１５０は、第４レンズ群Ｌ４を保持する。ベース枠１５０の被写体側に、固定枠１３０がビス止めされる（図示せず）。
【００１５】
次に、固定枠１３０の内周側に設けられる部材について説明する。固定枠１３０の内周側に、直進枠１４０が光軸Ｘ方向に移動可能に取り付けられる。具体的には、直進枠１４０の外周側に突出した直進枠駆動ピン１４１は、カム枠１２４と、固定枠１３０に係合する。マクロリング１２３の回転動作により、カム枠１２４が回転し、直進枠１４０が光軸Ｘ方向に移動する。
【００１６】
直進枠１４０は、第１レンズ群Ｌ１を保持する。また、直進枠１４０には、３群保持枠１６０が固定されている。３群保持枠１６０は、第３レンズ群Ｌ３を保持している。直進枠１４０には、ガイド軸１７１を設けられている。直進枠１４０に設けられたガイド軸１７１に対して、フォーカスレンズ枠１７０が光軸Ｘ方向に移動可能に取り付けられている。フォーカスレンズ枠１７０は、フォーカスレンズ群Ｌ２を保持している。フォーカスレンズ枠１７０は、直進枠１４０に光軸Ｘと平行に保持されたガイド軸１７１と係合し、光軸Ｘ方向にアクチュエータ等の動力源（図示せず）によって駆動される。
【００１７】
次に、固定枠１３０の外周側に設けられる部材について説明する。固定枠１３０は、外周側に、絞りリング１２１と、フォーカスリング１２２と、マクロリング１２３と、指標環１８０と、化粧リング１９０と、を備えている。絞りリング１２１は、固定枠１３０に対して、レンズ鏡筒１２０の円周方向にユーザーの操作に応じて回転可能である。フォーカスリング１２２は、固定枠１３０に対して、レンズ鏡筒１２０の円周方向にユーザーの操作に応じて回転可能である。マクロリング１２３は、固定枠１３０に対して、レンズ鏡筒１２０の円周方向にユーザーの操作に応じて回転可能である。
【００１８】
［１−２．デジタルカメラの動作］
以上のように構成されたデジタルカメラ１００について、その動作を説明する。デジタルカメラ１００は、ノーマルモード（通常撮影状態）とマクロモード（マクロ撮影状態）を切り替えることにより、撮影可能な被写体距離範囲が変化するように構成されている。本実施の形態では、ノーマルモードは、被写体までの距離が０．３ｍ〜∞の範囲である場合に、適した撮影モードであり、マクロモードは、被写体までの距離が０．１５ｍ〜０．３５ｍである場合に適した撮影モードである。デジタルカメラ１００は、ノーマルモードとマクロモードの切り替えに応じて、図４Ａ〜図４Ｃ及び図５Ａ〜図５Ｃに示すように、指標環１８０の光軸Ｘ方向の位置を調整する。
【００１９】
図４Ａから図４Ｃは、ノーマルモードにおけるマクロリング１２３、直進枠用カム枠溝１２４ａ、指標環用カム枠溝１２４ｂ、指標環１８０、の位置関係を示している。図４Ａは、指標環１８０のフォーカス指標を示す図であり、図４Ｂは、フォーカス指標がオートフォーカスモードを示す場合の図であり、図４Ｃは、フォーカス指標が近距離を示す場合の図である。
【００２０】
図５Ａから図５Ｃは、マクロモードにおけるマクロリング１２３、直進枠用カム枠溝１２４ａ、指標環用カム枠溝１２４ｂ、指標環１８０、の位置関係を示している。図５Ａは、指標環１８０のフォーカス指標を示す図であり、図５Ｂは、フォーカス指標がオートフォーカスモードを示す場合の図であり、図５Ｃは、フォーカス指標が近距離を示す場合の図である。
【００２１】
図４Ａから図４Ｃ及び図５Ａから図５Ｃに示すように、指標環１８０には、外装面に被写体距離を示すフォーカス指標が印刷されている。光軸Ｘ方向の上段（被写体側）には、通常目盛１８１ａとしてノーマルモードでの撮影時の被写体距離範囲（例：０．３〜∞ｍと、そのｆｅｅｔ換算距離）の表記がされている。また、指標環１８０の下段（カメラ本体側）には、マクロ目盛１８１ｂとしてマクロモードでの撮影時の被写体距離範囲（例：０．１５〜０．３５ｍと、そのｆｅｅｔ換算距離）の表記がされている。ここで、最近距離（ノーマルモードの０．３ｍとマクロモードの０．１５ｍ）と最遠距離（ノーマルモードの∞とマクロモードの０．３５ｍ）とは、指標環１８０の円周方向の同じ位相に配置されている。ノーマルモードにおけるオートフォーカスモードを示す「ＡＦ」（上段）とマクロモードにおけるオートフォーカスモードを示す「ＡＦ」（下段）についても、指標環１８０の円周方向の同じ位相位置に表記されている。本実施の形態では、最遠距離側（「∞」等）に隣接するように、オートフォーカスモードの表記「ＡＦ」を設けているが、これに限らず、最近距離側（「０．３」等）に設けてもよい。フォーカス指標が「ＡＦ」に設定されると、それぞれのモードにおけるオートフォーカスモードが設定される。オートフォーカスモードでは、ユーザーは被写体距離のいかんに関わらず、自動合焦させることができる。
【００２２】
また、マクロリング１２３の外装部には、ノーマルモードを示す指標「ＮＯＲＭＡＬ」と、マクロモードを示す指標「ＭＡＣＲＯ」が印刷されている。
【００２３】
上述のように、指標環１８０は、光軸Ｘ方向に２段に通常目盛１８１ａとマクロ目盛１８１ｂを有する。指標環１８０は、ユーザーのマクロリング１２３の回転操作に応じて、固定枠１３０に対して光軸Ｘ方向に駆動可能であり、通常目盛１８１ａとマクロ目盛１８１ｂの表示を切り替える。即ち、ユーザーの操作によってマクロリング１２３が左方向に回転し、マクロリング１２３の「ＮＯＲＭＡＬ」表示が上面に位置すると、フォーカスリング１２２と化粧リング１９０の間に通常目盛１８１ａが表示される。また、ユーザーの操作によってマクロリング１２３が右方向に回転し、マクロリング１２３の「ＭＡＣＲＯ」表示が上面に位置すると、フォーカスリング１２２と化粧リング１９０の間にマクロ目盛１８１ｂが表示される。
【００２４】
また、指標環１８０は、ユーザーのフォーカスリング１２２の回転操作に応じて、固定枠１３０に対してレンズ鏡筒１２０の円周方向に回転可能である。なお、絞りリング１２１、フォーカスリング１２２、マクロリング１２３は、各々回転可能範囲が設定されている。回転可能範囲については、後述する。
【００２５】
図６Ａは、固定枠１３０の一部展開図であり、図６Ｂは、カム枠１２４の一部展開図である。図６Ａ及び図６Ｂは外周側から見た図である。
【００２６】
固定枠１３０は、図６Ａに示すように、直進枠駆動ピン１４１が係合する直進枠用固定枠溝１３０ａと、指標環駆動ピン１８２が係合する指標環用固定枠溝１３０ｂと、カム枠駆動ピン１２５が係合するカム枠回転規制溝１３０ｃと、を有する。直進枠用固定枠溝１３０ａは、光軸Ｘ方向に所定の長さを有し、直進枠駆動ピン１４１と係合することによって、直進枠１４０の移動を規制する。即ち、直進枠１４０は、直進枠用固定枠溝１３０ａによって、光軸Ｘ方向に所定の距離だけ移動が許容され、円周方向の回転は規制される。指標環用固定枠溝１３０ｂは、光軸Ｘ方向に所定の長さを有し、指標環駆動ピン１８２と係合することによって、指標環１８０の移動を規制する。即ち、指標環１８０は、指標環用固定枠溝１３０ｂによって、光軸Ｘ方向に所定の距離だけ移動が許容され、円周方向の回転は規制される。カム枠回転規制溝１３０ｃは、円周方向に所定の長さを有し、カム枠駆動ピン１２５と係合することによって、カム枠１２４の移動を規制する。即ち、カム枠１２４は、カム枠回転規制溝１３０ｃによって、円周方向に所定の距離だけ回転移動が許容され、光軸Ｘ方向の移動は規制される。
【００２７】
カム枠１２４は、図６Ｂに示すように、直進枠駆動ピン１４１が係合する直進枠用カム枠溝１２４ａと、指標環駆動ピン１８２が係合する指標環用カム枠溝１２４ｂと、カム枠駆動ピン１２５とを有する。直進枠用カム枠溝１２４ａは、光軸Ｘ方向及び円周方向に所定の長さを有し、直進枠駆動ピン１４１と係合することによって、直進枠１４０の移動を規制する。即ち、カム枠１２４の回転移動によって、直進枠１４０は、直進枠用カム枠溝１２４ａと係合する直進枠駆動ピン１４１を介して、光軸Ｘ方向に所定の距離だけ駆動される。指標環用カム枠溝１２４ｂは、光軸Ｘ方向及び円周方向に所定の長さを有し、指標環駆動ピン１８２と係合することによって、指標環１８０の移動を規制する。即ち、カム枠１２４の回転移動によって、指標環１８０は、指標環用カム枠溝１２４ｂと係合する指標環駆動ピン１８２を介して、光軸Ｘ方向に所定の距離だけ駆動される。カム枠駆動ピン１２５は、カム枠１２４にビス等の固定部材で固定されるか、カム枠１２４と一体の突起として構成される。カム枠駆動ピン１２５は、マクロリング１２３と係合することによって、ユーザーの操作によるマクロリング１２３の回転駆動をカム枠１２４に伝達する。
【００２８】
このように、マクロリング１２３をユーザーが回転操作すると、カム枠１２４が回転し、直進枠１４０が光軸Ｘ方向に移動し、同時に指標環１８０が光軸Ｘ方向に移動する。マクロリング１２３を操作したときの直進枠１４０の光軸Ｘ方向の移動量は直進枠用カム枠溝１２４ａの光軸Ｘ方向の長さによって決定される。また、指標環１８０の光軸Ｘ方向の移動量は、指標環用カム枠溝１２４ｂの光軸Ｘ方向の長さによって決定される。
【００２９】
上述のように、カム枠駆動ピン１２５はカム枠回転規制溝１３０ｃと係合しているので、固定枠１３０の円周方向に伸びるカム枠回転規制溝１３０ｃの長さがカム枠駆動ピン１２５の円周方向の可動範囲となる。そして、カム枠駆動ピン１２５はマクロリング１２３とも係合しているので、カム枠回転規制溝１３０ｃによって、マクロリング１２３及びカム枠１２４の可動範囲が決まる。
【００３０】
図７Ａは、フォーカスリング１２２の一部展開図であり、図７Ｂは、指標環１８０の一部展開図とその側面図である。図７Ａ及び図７Ｂの一部展開図は、外周側から見た図であり、内周側の形状については、破線で示している。図７Ａで示すように、フォーカスリング１２２は、内周側に光軸Ｘ方向に伸びる指標環回転規制溝１２２ａを有する。図７Ｂに示すように、指標環１８０は、光軸Ｘ方向に延びる指標環回転規制突起１８０ａと、指標環光軸規制溝１８０ｂと、組立用縦溝１８０ｃを有する。指標環回転規制突起１８０ａは、図７Ａに示すフォーカスリング１２２の指標環回転規制溝１２２ａに係合する。これにより、指標環１８０は、回転方向の移動が規制される。指標環光軸規制溝１８０ｂは、フォーカスリング１２２の回転に伴って指標環１８０が回転する場合に、指標環駆動ピン１８２の円周方向の移動を規制しないための溝である。即ち、指標環駆動ピン１８２は、カム枠１２４の回転により指標環用カム枠溝１２４ｂから駆動力を受けて指標環１８０を光軸Ｘ方向に駆動するが、指標環１８０の回転によっては、指標環光軸規制溝１８０ｂを移動することで、円周方向には力を受けない。組立用縦溝１８０ｃは、組立て時に指標環駆動ピン１８２を挿入するための溝である。
【００３１】
このように、フォーカスリング１２２の回転に応じて、指標環１８０が回転するため、フォーカスリング１２２の回転位置に応じた被写体距離であるフォーカス指標が指標環１８０の上面に位置する。
【００３２】
［１−３．ノーマルモードとマクロモードの切り替え］
ユーザーは、マクロリング１２３を回転操作することで、ノーマルモードとマクロモードを切り替えることができる。マクロリング１２３は撮影状態切替部の一例である。
【００３３】
〈ノーマルモード〉
図４Ａから図４Ｃに示すように、マクロリング１２３を左方向に回転させて、マクロリング１２３に示される「ＮＯＲＭＡＬ」の表記が、レンズ鏡筒１２０の上部センターに移動すると、ノーマルモードが設定される。マクロリング１２３が左方向に回転駆動されることで、マクロリング１２３と係合しカム枠１２４に固定されているカム枠駆動ピン１２５は、カム枠回転規制溝１３０ｃを移動する。カム枠駆動ピン１２５がカム枠回転規制溝１３０ｃの左側端部と当接することで、マクロリング１２３の回転移動が規制され、ノーマルモードを示す「ＮＯＲＭＡＬ」の表記がレンズ鏡筒１２０の上部センターに位置する。
【００３４】
マクロリング１２３が左方向に回転駆動されると、マクロリング１２３と係合するカム枠駆動ピン１２５を介してカム枠１２４が左方向に回転する。カム枠１２４が左方向に回転すると、直進枠駆動ピン１４１及び指標環駆動ピン１８２がそれぞれ係合するカム枠１２４の直進枠用カム枠溝１２４ａ及び指標環用カム枠溝１２４ｂを移動して、それぞれの溝のカメラ本体側（右端）に達する（図６Ｂ）。そのため、ノーマルモードでは、図２に示すように、直進枠１４０と指標環１８０は、固定枠１３０内において、カメラ本体側に位置する状態で保持される。直進枠１４０がカメラ本体側に位置すると、それに保持されるレンズ群がカメラ本体側に位置し、ノーマルモードの光学系の配置となる。指標環１８０がカメラ本体側に位置すると、図４Ａから図４Ｃに示すように、フォーカスリング１２２と化粧リング１９０との間にノーマルモードのフォーカス指標である通常目盛１８１ａが表示される。
【００３５】
〈マクロモード〉
図５Ａから図５Ｃに示すように、ユーザーが、マクロリング１２３を右方向に回転させて、マクロリング１２３に示される「ＭＡＣＲＯ」の表記が、レンズ鏡筒１２０の上部センターに移動すると、マクロモードが設定される。マクロリング１２３が右方向に回転駆動されることで、マクロリング１２３と係合しカム枠１２４に固定されているカム枠駆動ピン１２５は、カム枠回転規制溝１３０ｃを移動する。カム枠駆動ピン１２５がカム枠回転規制溝１３０ｃの右側端部と当接することで、マクロリング１２３の回転移動が規制され、マクロモードを示す「ＭＡＣＲＯ」の表記がレンズ鏡筒１２０の上部センターに位置する。
【００３６】
マクロリング１２３が右方向に回転駆動されると、マクロリング１２３と係合するカム枠駆動ピン１２５を介してカム枠１２４が右方向に回転する。カム枠１２４が右方向に回転すると、直進枠駆動ピン１４１及び指標環駆動ピン１８２がそれぞれ係合するカム枠１２４の直進枠用カム枠溝１２４ａ及び指標環用カム枠溝１２４ｂを移動して、それぞれの溝の被写体側（左端）に達する。そのため、マクロモードでは、図３に示すように、直進枠１４０と指標環１８０は、固定枠１３０内において、被写体側に移動された状態で保持される。直進枠１４０が被写体側に位置すると、それに保持されるレンズ群が被写体側に位置し、マクロモードにおける光学系の配置となる。指標環１８０が被写体側に位置すると、図５Ａから図５Ｃに示すように、フォーカスリング１２２と化粧リング１９０との間にマクロモードのフォーカス指標であるマクロ目盛１８１ｂが表示される。
【００３７】
［１−４．指標環とフォーカスリングの可動範囲］
上述したように、マクロリング１２３の回転の切り替えによって、指標環１８０が光軸Ｘ方向に駆動して、ノーマルモードとマクロモードの切り替えがなされる。
【００３８】
一方、指標環１８０は、フォーカスリング１２２の回転操作に応じて円周方向に回転移動し、指標環１８０の円周方向の位置規制は、指標環回転規制突起１８０ａがフォーカスリング１２２の指標環回転規制溝１２２ａと係合することで実現される。本実施の形態においては、フォーカスリング１２２の回転可動範囲すなわち指標環１８０の回転可能範囲は、固定枠１３０に設けられた突起（図示せず）とフォーカスリング１２２に設けられた突起（図示せず）の接触によって実現する。
【００３９】
ノーマルモードにおいて、フォーカスリング１２２が遠距離側の端部に当接するまで回転すると、指標環１８０はオートフォーカス「ＡＦ」を示す位置まで回転する（図４Ｂ）。反対に、フォーカスリング１２２が近距離側の端部に当接するまで回転すると、指標環１８０は０．３ｍを示す「０．３」の位置まで回転する（図４Ｃ）。
【００４０】
マクロモードにおいて、フォーカスリング１２２を遠距離側の端部に当接するまで回転すると、指標環１８０はオートフォーカス「ＡＦ」を示す位置まで回転する（図５Ｂ）。反対に、フォーカスリング１２２が近距離側の端部に当接するまで回転すると、指標環１８０は０．１５ｍを示す「０．１５」の位置まで回転する（図５Ｃ）。
【００４１】
［１−５．効果等］
以上のように、本実施の形態において、ユーザーによるノーマルモードとマクロモードの切り替えの際に、指標環１８０が光軸Ｘ方向に変位する。加えて、ユーザーによるフォーカスリング１２２の操作によって、指標環１８０が円周方向に回転する。
【００４２】
これにより、モードに応じた撮影可能な被写体距離範囲のみが指標環１８０に示される。そのため、モード切り替えを備えたレンズ鏡筒１２０においても、指標環１８０での被写体距離表示が可能になる。
【００４３】
（実施の形態２）
図８は、実施の形態２の撮像装置におけるレンズ鏡筒２２０の断面構成を示す模式図である。本実施の形態におけるレンズ鏡筒２２０は、実施の形態１のレンズ鏡筒１２０の構成に加えて、直進ガイド２３５及び防塵シート２８５、２８６を有する。その他の構成は、レンズ鏡筒１２０に構成と同様であるので、説明を省略する。
【００４４】
図８に示すように、直進ガイド２３５は、レンズ鏡筒２２０において、固定枠１３０の外周側であって、フォーカスリング１２２及び指標環１８０の内周側に設けられる。直進ガイド２３５は、指標環１８０が光軸Ｘ方向にフォーカスリング１２２と化粧リング１９０との間を移動することをガイドする。
【００４５】
また、防塵シート２８５は、図８に示すように、円周方向において、指標環１８０とフォーカスリング１２２の間に設けられる。防塵シート２８５は、指標環１８０の被写体側において指標環１８０とフォーカスリング１２２の間との間からレンズ鏡筒２２０の内部への異物が進入することを抑制する。
【００４６】
また、防塵シート２８６は、図８に示すように、円周方向において固定枠１３０と化粧リング１９０の間に設けられ、かつ、光軸Ｘ方向において指標環１８０と化粧リング１９０の間に設けられる。防塵シート２８６は、指標環１８０のカメラ本体側において指標環１８０と化粧リング１９０との間からレンズ鏡筒２２０の内部への異物が進入することを抑制する。
【００４７】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００４８】
以上のように、本開示における技術の例示として、実施の形態を説明した。そのために、添付図面および詳細な説明を提供した。
【００４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５０】
また、上述の実施の形態は、本開示における技術を例示するためのものであるから、請求の範囲またはその均等の範囲において種々の変更、置き換え、付加、省略などを行うことができる。
【産業上の利用可能性】
【００５１】
本開示は、撮像装置に用いられるレンズ鏡筒に適用可能である。具体的には、デジタルスチルカメラ、一眼レフカメラ、ミラーレスカメラなどに本開示は適用可能である。
【符号の説明】
【００５２】
１００  デジタルカメラ
１２０，２２０  レンズ鏡筒
１２２  フォーカスリング
１２３  マクロリング
１２４  カム枠
１３０  固定枠
１４０  直進枠
１５０  ベース枠
１６０  ３群保持枠
１７０  フォーカスレンズ枠
１８０  指標環
１８１ａ  通常目盛
１８１ｂ  マクロ目盛
２８５，２８６  防塵シート
Ｌ１  第１レンズ群
Ｌ２  フォーカスレンズ群
Ｌ３  第３レンズ群
Ｌ４  第４レンズ群
【図１】
2015087480.tif 000003
【図２】
2015087480.tif 000004
【図３】
2015087480.tif 000005
【図４Ａ】
2015087480.tif 000006
【図４Ｂ】
2015087480.tif 000007
【図４Ｃ】
2015087480.tif 000008
【図５Ａ】
2015087480.tif 000009
【図５Ｂ】
2015087480.tif 000010
【図５Ｃ】
2015087480.tif 000011
【図６Ａ】
2015087480.tif 000012
【図６Ｂ】
2015087480.tif 000013
【図７Ａ】
2015087480.tif 000014
【図７Ｂ】
2015087480.tif 000015
【図８】
2015087480.tif 000016
【手続補正書】
【提出日】平成27年10月19日(2015.10.19)
【手続補正１】
【補正対象書類名】明細書
【補正対象項目名】全文
【補正方法】変更
【補正の内容】
【発明の詳細な説明】
【技術分野】
【０００１】
本開示は、レンズ鏡筒及び撮像装置に関する。
【背景技術】
【０００２】
特許文献１は、ズームリングに設けられるロック部材でフォーカスリングの移動許容範囲を調整するレンズ鏡筒を開示する。
【先行技術文献】
【特許文献】
【０００３】
【特許文献１】特開昭５７−６６４２５号公報
【発明の概要】
【０００４】
本開示は、通常撮影とマクロ撮影の切り替えが可能なレンズ鏡筒であって、フォーカスリングの目盛表示を可能にし、通常撮影時の撮影距離範囲とマクロ撮影時の撮影距離範囲がフォーカスリングの同じ移動許容範囲で表示可能なレンズ鏡筒及び該レンズ鏡筒を備えた撮像装置を提供する。
【０００５】
本開示におけるレンズ鏡筒は、複数のレンズからなる光学系と、通常撮影領域と前記通常撮影領域の至近距離位置よりも近い被写体に焦点位置を変化させることができるマクロ撮影領域で、光学系の焦点位置を変化させることが可能なフォーカシング操作部と、光学系の複数のレンズ群のうち少なくとも一部のレンズ群を移動させることで、通常撮影状態とマクロ撮影状態を切り替える撮影状態切替部と、通常撮影状態における被写体距離を示す通常目盛と、通常目盛と異なる位置に設けられマクロ撮影状態における被写体距離を示すマクロ目盛と、を有する指標環と、を備える。そして、撮影状態切替部は、指標環の通常目盛とマクロ目盛との表示位置を切り替え、フォーカシング操作部は、回転操作によって指標環が表示する焦点位置を変更する。
【０００６】
本開示における撮像装置は、複数のレンズからなる光学系と、通常撮影領域と前記通常撮影領域の至近距離位置よりも近い被写体に焦点位置を変化させることができるマクロ撮影領域で、光学系の焦点位置を変化させることが可能なフォーカシング操作部と、光学系の複数のレンズ群のうち少なくとも一部のレンズ群を移動させることで、通常撮影状態とマクロ撮影状態を切り替える撮影状態切替部と、通常撮影状態における被写体距離を示す通常目盛とマクロ撮影状態における被写体距離を示すマクロ目盛とを有する指標環とを備えるレンズ鏡筒を備える。そして、レンズ鏡筒の指標環は、撮影状態切替部の操作に応じて通常目盛とマクロ目盛とを切り替え、フォーカシング操作部の回転操作に応じた焦点位置を表示する。
【０００７】
本開示におけるレンズ鏡筒は、通常撮影とマクロ撮影の切り替えが可能であり、かつ、フォーカスリングの目盛表示を可能にし、フォーカスリングの移動許容範囲を一定に保ったままでの通常撮影時の焦点位置範囲とマクロ撮影の焦点位置範囲の表示が可能である。
【図面の簡単な説明】
【０００８】
【図１】実施の形態１におけるデジタルカメラの斜視図
【図２】実施の形態１のノーマルモードにおけるレンズ鏡筒の断面構成を示す模式図
【図３】実施の形態１のマクロモードにおけるレンズ鏡筒の断面構成を示す模式図
【図４Ａ】実施の形態１のノーマルモードにおける指標環のフォーカス指標を示す図
【図４Ｂ】実施の形態１のノーマルモードにおけるフォーカス指標がオートフォーカスモードを示す場合の図
【図４Ｃ】実施の形態１のノーマルモードにおけるフォーカス指標が近距離を示す場合の図
【図５Ａ】実施の形態１のマクロモードにおける指標環のフォーカス指標を示す図
【図５Ｂ】実施の形態１のマクロモードにおけるフォーカス指標がオートフォーカスモードを示す場合の図
【図５Ｃ】実施の形態１のマクロモードにおけるフォーカス指標が近距離を示す場合の図
【図６Ａ】実施の形態１における固定枠の一部展開図
【図６Ｂ】実施の形態１におけるカム枠の一部展開図
【図７Ａ】実施の形態１におけるフォーカスリング一部展開図
【図７Ｂ】実施の形態１における指標環の構成を説明する図
【図８】実施の形態２の撮像装置におけるレンズ鏡筒の断面構成を示す模式図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって請求の範囲に記載の主題を限定することを意図するものではない。
【００１１】
（実施の形態１）
［１−１．デジタルカメラの構成］
図１は、デジタルカメラ１００の斜視図である。デジタルカメラ１００は、カメラ本体１１０とレンズ鏡筒１２０を有する。レンズ鏡筒１２０は、カメラ本体１１０と一体的に構成されてもよいし、着脱可能に設けられてもよい。また、レンズ鏡筒１２０は、その外周に、ユーザーによって操作される、絞りリング１２１、フォーカスリング１２２、マクロリング１２３を備える。デジタルカメラ１００は撮像装置の一例であり、フォーカスリング１２２はフォーカシング操作部の一例である。
【００１２】
次に、レンズ鏡筒１２０の構成について説明する。図２は、ノーマルモードにおけるレンズ鏡筒１２０の断面構成を示す模式図である。図３は、マクロモードにおけるレンズ鏡筒１２０の断面構成を示す模式図である。
【００１３】
レンズ鏡筒１２０は、第１レンズ群Ｌ１と、フォーカスレンズ群Ｌ２と、第３レンズ群Ｌ３と、第４レンズ群Ｌ４と、絞りリング１２１と、フォーカスリング１２２と、マクロリング１２３と、固定枠１３０と、直進枠１４０と、ベース枠１５０と、３群保持枠１６０と、フォーカスレンズ枠１７０と、ガイド軸１７１と、指標環１８０と、カム枠１２４と、指標環駆動ピン１８２と、カム枠駆動ピン１２５と、化粧リング１９０と、を備える。直進枠１４０は、外周側に突出した直進枠駆動ピン１４１を有する。カム枠１２４は、カム枠駆動ピン１２５を介してマクロリング１２３と係合する。
【００１４】
レンズ鏡筒１２０は、ベース枠１５０に対して各部材が取り付けられるように構成されている。ベース枠１５０は、第４レンズ群Ｌ４を保持する。ベース枠１５０の被写体側に、固定枠１３０がビス止めされる（図示せず）。
【００１５】
次に、固定枠１３０の内周側に設けられる部材について説明する。固定枠１３０の内周側に、直進枠１４０が光軸Ｘ方向に移動可能に取り付けられる。具体的には、直進枠１４０の外周側に突出した直進枠駆動ピン１４１は、カム枠１２４と、固定枠１３０に係合する。マクロリング１２３の回転動作により、カム枠１２４が回転し、直進枠１４０が光軸Ｘ方向に移動する。
【００１６】
直進枠１４０は、第１レンズ群Ｌ１を保持する。また、直進枠１４０には、３群保持枠１６０が固定されている。３群保持枠１６０は、第３レンズ群Ｌ３を保持している。直進枠１４０には、ガイド軸１７１を設けられている。直進枠１４０に設けられたガイド軸１７１に対して、フォーカスレンズ枠１７０が光軸Ｘ方向に移動可能に取り付けられている。フォーカスレンズ枠１７０は、フォーカスレンズ群Ｌ２を保持している。フォーカスレンズ枠１７０は、直進枠１４０に光軸Ｘと平行に保持されたガイド軸１７１と係合し、光軸Ｘ方向にアクチュエータ等の動力源（図示せず）によって駆動される。
【００１７】
次に、固定枠１３０の外周側に設けられる部材について説明する。固定枠１３０は、外周側に、絞りリング１２１と、フォーカスリング１２２と、マクロリング１２３と、指標環１８０と、化粧リング１９０と、を備えている。絞りリング１２１は、固定枠１３０に対して、レンズ鏡筒１２０の円周方向にユーザーの操作に応じて回転可能である。フォーカスリング１２２は、固定枠１３０に対して、レンズ鏡筒１２０の円周方向にユーザーの操作に応じて回転可能である。マクロリング１２３は、固定枠１３０に対して、レンズ鏡筒１２０の円周方向にユーザーの操作に応じて回転可能である。
【００１８】
［１−２．デジタルカメラの動作］
以上のように構成されたデジタルカメラ１００について、その動作を説明する。デジタルカメラ１００は、ノーマルモード（通常撮影状態）とマクロモード（マクロ撮影状態）を切り替えることにより、撮影可能な被写体距離範囲が変化するように構成されている。本実施の形態では、ノーマルモードは、被写体までの距離が０．３ｍ〜∞の範囲である場合に、適した撮影モードであり、マクロモードは、被写体までの距離が０．１５ｍ〜０．３５ｍである場合に適した撮影モードである。デジタルカメラ１００は、ノーマルモードとマクロモードの切り替えに応じて、図４Ａ〜図４Ｃ及び図５Ａ〜図５Ｃに示すように、指標環１８０の光軸Ｘ方向の位置を調整する。
【００１９】
図４Ａから図４Ｃは、ノーマルモードにおけるマクロリング１２３、直進枠用カム枠溝１２４ａ、指標環用カム枠溝１２４ｂ、指標環１８０、の位置関係を示している。図４Ａは、指標環１８０のフォーカス指標を示す図であり、図４Ｂは、フォーカス指標がオートフォーカスモードを示す場合の図であり、図４Ｃは、フォーカス指標が近距離を示す場合の図である。
【００２０】
図５Ａから図５Ｃは、マクロモードにおけるマクロリング１２３、直進枠用カム枠溝１２４ａ、指標環用カム枠溝１２４ｂ、指標環１８０、の位置関係を示している。図５Ａは、指標環１８０のフォーカス指標を示す図であり、図５Ｂは、フォーカス指標がオートフォーカスモードを示す場合の図であり、図５Ｃは、フォーカス指標が近距離を示す場合の図である。
【００２１】
図４Ａから図４Ｃ及び図５Ａから図５Ｃに示すように、指標環１８０には、外装面に被写体距離を示すフォーカス指標が印刷されている。光軸Ｘ方向の上段（被写体側）には、通常目盛１８１ａとしてノーマルモードでの撮影時の被写体距離範囲（例：０．３〜∞ｍと、そのｆｅｅｔ換算距離）の表記がされている。また、指標環１８０の下段（カメラ本体側）には、マクロ目盛１８１ｂとしてマクロモードでの撮影時の被写体距離範囲（例：０．１５〜０．３５ｍと、そのｆｅｅｔ換算距離）の表記がされている。ここで、最近距離（ノーマルモードの０．３ｍとマクロモードの０．１５ｍ）と最遠距離（ノーマルモードの∞とマクロモードの０．３５ｍ）とは、指標環１８０の円周方向の同じ位相に配置されている。ノーマルモードにおけるオートフォーカスモードを示す「ＡＦ」（上段）とマクロモードにおけるオートフォーカスモードを示す「ＡＦ」（下段）についても、指標環１８０の円周方向の同じ位相位置に表記されている。本実施の形態では、最遠距離側（「∞」等）に隣接するように、オートフォーカスモードの表記「ＡＦ」を設けているが、これに限らず、最近距離側（「０．３」等）に設けてもよい。フォーカス指標が「ＡＦ」に設定されると、それぞれのモードにおけるオートフォーカスモードが設定される。オートフォーカスモードでは、ユーザーは被写体距離のいかんに関わらず、自動合焦させることができる。
【００２２】
また、マクロリング１２３の外装部には、ノーマルモードを示す指標「ＮＯＲＭＡＬ」と、マクロモードを示す指標「ＭＡＣＲＯ」が印刷されている。
【００２３】
上述のように、指標環１８０は、光軸Ｘ方向に２段に通常目盛１８１ａとマクロ目盛１８１ｂを有する。指標環１８０は、ユーザーのマクロリング１２３の回転操作に応じて、固定枠１３０に対して光軸Ｘ方向に駆動可能であり、通常目盛１８１ａとマクロ目盛１８１ｂの表示を切り替える。即ち、ユーザーの操作によってマクロリング１２３が左方向に回転し、マクロリング１２３の「ＮＯＲＭＡＬ」表示が上面に位置すると、フォーカスリング１２２と化粧リング１９０の間に通常目盛１８１ａが表示される。また、ユーザーの操作によってマクロリング１２３が右方向に回転し、マクロリング１２３の「ＭＡＣＲＯ」表示が上面に位置すると、フォーカスリング１２２と化粧リング１９０の間にマクロ目盛１８１ｂが表示される。
【００２４】
また、指標環１８０は、ユーザーのフォーカスリング１２２の回転操作に応じて、固定枠１３０に対してレンズ鏡筒１２０の円周方向に回転可能である。なお、絞りリング１２１、フォーカスリング１２２、マクロリング１２３は、各々回転可能範囲が設定されている。回転可能範囲については、後述する。
【００２５】
図６Ａは、固定枠１３０の一部展開図であり、図６Ｂは、カム枠１２４の一部展開図である。図６Ａ及び図６Ｂは外周側から見た図である。
【００２６】
固定枠１３０は、図６Ａに示すように、直進枠駆動ピン１４１が係合する直進枠用固定枠溝１３０ａと、指標環駆動ピン１８２が係合する指標環用固定枠溝１３０ｂと、カム枠駆動ピン１２５が係合するカム枠回転規制溝１３０ｃと、を有する。直進枠用固定枠溝１３０ａは、光軸Ｘ方向に所定の長さを有し、直進枠駆動ピン１４１と係合することによって、直進枠１４０の移動を規制する。即ち、直進枠１４０は、直進枠用固定枠溝１３０ａによって、光軸Ｘ方向に所定の距離だけ移動が許容され、円周方向の回転は規制される。指標環用固定枠溝１３０ｂは、光軸Ｘ方向に所定の長さを有し、指標環駆動ピン１８２と係合することによって、指標環１８０の移動を規制する。即ち、指標環１８０は、指標環用固定枠溝１３０ｂによって、光軸Ｘ方向に所定の距離だけ移動が許容され、円周方向の回転は規制される。カム枠回転規制溝１３０ｃは、円周方向に所定の長さを有し、カム枠駆動ピン１２５と係合することによって、カム枠１２４の移動を規制する。即ち、カム枠１２４は、カム枠回転規制溝１３０ｃによって、円周方向に所定の距離だけ回転移動が許容され、光軸Ｘ方向の移動は規制される。
【００２７】
カム枠１２４は、図６Ｂに示すように、直進枠駆動ピン１４１が係合する直進枠用カム枠溝１２４ａと、指標環駆動ピン１８２が係合する指標環用カム枠溝１２４ｂと、カム枠駆動ピン１２５とを有する。直進枠用カム枠溝１２４ａは、光軸Ｘ方向及び円周方向に所定の長さを有し、直進枠駆動ピン１４１と係合することによって、直進枠１４０の移動を規制する。即ち、カム枠１２４の回転移動によって、直進枠１４０は、直進枠用カム枠溝１２４ａと係合する直進枠駆動ピン１４１を介して、光軸Ｘ方向に所定の距離だけ駆動される。指標環用カム枠溝１２４ｂは、光軸Ｘ方向及び円周方向に所定の長さを有し、指標環駆動ピン１８２と係合することによって、指標環１８０の移動を規制する。即ち、カム枠１２４の回転移動によって、指標環１８０は、指標環用カム枠溝１２４ｂと係合する指標環駆動ピン１８２を介して、光軸Ｘ方向に所定の距離だけ駆動される。カム枠駆動ピン１２５は、カム枠１２４にビス等の固定部材で固定されるか、カム枠１２４と一体の突起として構成される。カム枠駆動ピン１２５は、マクロリング１２３と係合することによって、ユーザーの操作によるマクロリング１２３の回転駆動をカム枠１２４に伝達する。
【００２８】
このように、マクロリング１２３をユーザーが回転操作すると、カム枠１２４が回転し、直進枠１４０が光軸Ｘ方向に移動し、同時に指標環１８０が光軸Ｘ方向に移動する。マクロリング１２３を操作したときの直進枠１４０の光軸Ｘ方向の移動量は直進枠用カム枠溝１２４ａの光軸Ｘ方向の長さによって決定される。また、指標環１８０の光軸Ｘ方向の移動量は、指標環用カム枠溝１２４ｂの光軸Ｘ方向の長さによって決定される。
【００２９】
上述のように、カム枠駆動ピン１２５はカム枠回転規制溝１３０ｃと係合しているので、固定枠１３０の円周方向に伸びるカム枠回転規制溝１３０ｃの長さがカム枠駆動ピン１２５の円周方向の可動範囲となる。そして、カム枠駆動ピン１２５はマクロリング１２３とも係合しているので、カム枠回転規制溝１３０ｃによって、マクロリング１２３及びカム枠１２４の可動範囲が決まる。
【００３０】
図７Ａは、フォーカスリング１２２の一部展開図であり、図７Ｂは、指標環１８０の一部展開図とその側面図である。図７Ａ及び図７Ｂの一部展開図は、外周側から見た図であり、内周側の形状については、破線で示している。図７Ａで示すように、フォーカスリング１２２は、内周側に光軸Ｘ方向に伸びる指標環回転規制溝１２２ａを有する。図７Ｂに示すように、指標環１８０は、光軸Ｘ方向に延びる指標環回転規制突起１８０ａと、指標環光軸規制溝１８０ｂと、組立用縦溝１８０ｃを有する。指標環回転規制突起１８０ａは、図７Ａに示すフォーカスリング１２２の指標環回転規制溝１２２ａに係合する。これにより、指標環１８０は、回転方向の移動が規制される。指標環光軸規制溝１８０ｂは、フォーカスリング１２２の回転に伴って指標環１８０が回転する場合に、指標環駆動ピン１８２の円周方向の移動を規制しないための溝である。即ち、指標環駆動ピン１８２は、カム枠１２４の回転により指標環用カム枠溝１２４ｂから駆動力を受けて指標環１８０を光軸Ｘ方向に駆動するが、指標環１８０の回転によっては、指標環光軸規制溝１８０ｂを移動することで、円周方向には力を受けない。組立用縦溝１８０ｃは、組立て時に指標環駆動ピン１８２を挿入するための溝である。
【００３１】
このように、フォーカスリング１２２の回転に応じて、指標環１８０が回転するため、フォーカスリング１２２の回転位置に応じた被写体距離であるフォーカス指標が指標環１８０の上面に位置する。
【００３２】
［１−３．ノーマルモードとマクロモードの切り替え］
ユーザーは、マクロリング１２３を回転操作することで、ノーマルモードとマクロモードを切り替えることができる。マクロリング１２３は撮影状態切替部の一例である。
【００３３】
〈ノーマルモード〉
図４Ａから図４Ｃに示すように、マクロリング１２３を左方向に回転させて、マクロリング１２３に示される「ＮＯＲＭＡＬ」の表記が、レンズ鏡筒１２０の上部センターに移動すると、ノーマルモードが設定される。マクロリング１２３が左方向に回転駆動されることで、マクロリング１２３と係合しカム枠１２４に固定されているカム枠駆動ピン１２５は、カム枠回転規制溝１３０ｃを移動する。カム枠駆動ピン１２５がカム枠回転規制溝１３０ｃの左側端部と当接することで、マクロリング１２３の回転移動が規制され、ノーマルモードを示す「ＮＯＲＭＡＬ」の表記がレンズ鏡筒１２０の上部センターに位置する。
【００３４】
マクロリング１２３が左方向に回転駆動されると、マクロリング１２３と係合するカム枠駆動ピン１２５を介してカム枠１２４が左方向に回転する。カム枠１２４が左方向に回転すると、直進枠駆動ピン１４１及び指標環駆動ピン１８２がそれぞれ係合するカム枠１２４の直進枠用カム枠溝１２４ａ及び指標環用カム枠溝１２４ｂを移動して、それぞれの溝のカメラ本体側（右端）に達する（図６Ｂ）。そのため、ノーマルモードでは、図２に示すように、直進枠１４０と指標環１８０は、固定枠１３０内において、カメラ本体側に位置する状態で保持される。直進枠１４０がカメラ本体側に位置すると、それに保持されるレンズ群がカメラ本体側に位置し、ノーマルモードの光学系の配置となる。指標環１８０がカメラ本体側に位置すると、図４Ａから図４Ｃに示すように、フォーカスリング１２２と化粧リング１９０との間にノーマルモードのフォーカス指標である通常目盛１８１ａが表示される。
【００３５】
〈マクロモード〉
図５Ａから図５Ｃに示すように、ユーザーが、マクロリング１２３を右方向に回転させて、マクロリング１２３に示される「ＭＡＣＲＯ」の表記が、レンズ鏡筒１２０の上部センターに移動すると、マクロモードが設定される。マクロリング１２３が右方向に回転駆動されることで、マクロリング１２３と係合しカム枠１２４に固定されているカム枠駆動ピン１２５は、カム枠回転規制溝１３０ｃを移動する。カム枠駆動ピン１２５がカム枠回転規制溝１３０ｃの右側端部と当接することで、マクロリング１２３の回転移動が規制され、マクロモードを示す「ＭＡＣＲＯ」の表記がレンズ鏡筒１２０の上部センターに位置する。
【００３６】
マクロリング１２３が右方向に回転駆動されると、マクロリング１２３と係合するカム枠駆動ピン１２５を介してカム枠１２４が右方向に回転する。カム枠１２４が右方向に回転すると、直進枠駆動ピン１４１及び指標環駆動ピン１８２がそれぞれ係合するカム枠１２４の直進枠用カム枠溝１２４ａ及び指標環用カム枠溝１２４ｂを移動して、それぞれの溝の被写体側（左端）に達する。そのため、マクロモードでは、図３に示すように、直進枠１４０と指標環１８０は、固定枠１３０内において、被写体側に移動された状態で保持される。直進枠１４０が被写体側に位置すると、それに保持されるレンズ群が被写体側に位置し、マクロモードにおける光学系の配置となる。指標環１８０が被写体側に位置すると、図５Ａから図５Ｃに示すように、フォーカスリング１２２と化粧リング１９０との間にマクロモードのフォーカス指標であるマクロ目盛１８１ｂが表示される。
【００３７】
［１−４．指標環とフォーカスリングの可動範囲］
上述したように、マクロリング１２３の回転の切り替えによって、指標環１８０が光軸Ｘ方向に駆動して、ノーマルモードとマクロモードの切り替えがなされる。
【００３８】
一方、指標環１８０は、フォーカスリング１２２の回転操作に応じて円周方向に回転移動し、指標環１８０の円周方向の位置規制は、指標環回転規制突起１８０ａがフォーカスリング１２２の指標環回転規制溝１２２ａと係合することで実現される。本実施の形態においては、フォーカスリング１２２の回転可動範囲すなわち指標環１８０の回転可能範囲は、固定枠１３０に設けられた突起（図示せず）とフォーカスリング１２２に設けられた突起（図示せず）の接触によって実現する。
【００３９】
ノーマルモードにおいて、フォーカスリング１２２が遠距離側の端部に当接するまで回転すると、指標環１８０はオートフォーカス「ＡＦ」を示す位置まで回転する（図４Ｂ）。反対に、フォーカスリング１２２が近距離側の端部に当接するまで回転すると、指標環１８０は０．３ｍを示す「０．３」の位置まで回転する（図４Ｃ）。
【００４０】
マクロモードにおいて、フォーカスリング１２２を遠距離側の端部に当接するまで回転すると、指標環１８０はオートフォーカス「ＡＦ」を示す位置まで回転する（図５Ｂ）。反対に、フォーカスリング１２２が近距離側の端部に当接するまで回転すると、指標環１８０は０．１５ｍを示す「０．１５」の位置まで回転する（図５Ｃ）。
【００４１】
［１−５．効果等］
以上のように、本実施の形態において、ユーザーによるノーマルモードとマクロモードの切り替えの際に、指標環１８０が光軸Ｘ方向に変位する。加えて、ユーザーによるフォーカスリング１２２の操作によって、指標環１８０が円周方向に回転する。
【００４２】
これにより、モードに応じた撮影可能な被写体距離範囲のみが指標環１８０に示される。そのため、モード切り替えを備えたレンズ鏡筒１２０においても、指標環１８０での被写体距離表示が可能になる。
【００４３】
（実施の形態２）
図８は、実施の形態２の撮像装置におけるレンズ鏡筒２２０の断面構成を示す模式図である。本実施の形態におけるレンズ鏡筒２２０は、実施の形態１のレンズ鏡筒１２０の構成に加えて、直進ガイド２３５及び防塵シート２８５、２８６を有する。その他の構成は、レンズ鏡筒１２０に構成と同様であるので、説明を省略する。
【００４４】
図８に示すように、直進ガイド２３５は、レンズ鏡筒２２０において、固定枠１３０の外周側であって、フォーカスリング１２２及び指標環１８０の内周側に設けられる。直進ガイド２３５は、指標環１８０が光軸Ｘ方向にフォーカスリング１２２と化粧リング１９０との間を移動することをガイドする。
【００４５】
また、防塵シート２８５は、図８に示すように、円周方向において、指標環１８０とフォーカスリング１２２の間に設けられる。防塵シート２８５は、指標環１８０の被写体側において指標環１８０とフォーカスリング１２２の間との間からレンズ鏡筒２２０の内部への異物が進入することを抑制する。
【００４６】
また、防塵シート２８６は、図８に示すように、円周方向において固定枠１３０と化粧リング１９０の間に設けられ、かつ、光軸Ｘ方向において指標環１８０と化粧リング１９０の間に設けられる。防塵シート２８６は、指標環１８０のカメラ本体側において指標環１８０と化粧リング１９０との間からレンズ鏡筒２２０の内部への異物が進入することを抑制する。
【００４７】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００４８】
以上のように、本開示における技術の例示として、実施の形態を説明した。そのために、添付図面および詳細な説明を提供した。
【００４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５０】
また、上述の実施の形態は、本開示における技術を例示するためのものであるから、請求の範囲またはその均等の範囲において種々の変更、置き換え、付加、省略などを行うことができる。
【産業上の利用可能性】
【００５１】
本開示は、撮像装置に用いられるレンズ鏡筒に適用可能である。具体的には、デジタルスチルカメラ、一眼レフカメラ、ミラーレスカメラなどに本開示は適用可能である。
【符号の説明】
【００５２】
１００    デジタルカメラ
１２０，２２０    レンズ鏡筒
１２２    フォーカスリング
１２３    マクロリング
１２４    カム枠
１３０    固定枠
１４０    直進枠
１５０    ベース枠
１６０    ３群保持枠
１７０    フォーカスレンズ枠
１８０    指標環
１８１ａ    通常目盛
１８１ｂ    マクロ目盛
２８５，２８６    防塵シート
Ｌ１    第１レンズ群
Ｌ２    フォーカスレンズ群
Ｌ３    第３レンズ群
Ｌ４    第４レンズ群
【手続補正２】
【補正対象書類名】特許請求の範囲
【補正対象項目名】全文
【補正方法】変更
【補正の内容】
【特許請求の範囲】
【請求項１】
複数のレンズ群からなる光学系と、
通常撮影領域と前記通常撮影領域の至近距離位置よりも近い被写体に焦点位置を変化させることができるマクロ撮影領域で、前記光学系の焦点位置を変化させることが可能なフォーカシング操作部と、
前記光学系の前記複数のレンズ群のうち少なくとも一部のレンズ群を移動させることで、通常撮影状態とマクロ撮影状態を切り替える撮影状態切替部と、
前記通常撮影状態における被写体距離を示す通常目盛と、前記通常目盛と異なる位置に設けられ前記マクロ撮影状態における被写体距離を示すマクロ目盛と、を有する指標環とを備え、
前記撮影状態切替部は、前記指標環の前記通常目盛と前記マクロ目盛との表示位置を切り替え、
前記フォーカシング操作部は、回転操作によって前記指標環が表示する焦点位置を変更する、
レンズ鏡筒。
【請求項２】
前記指標環は、前記通常撮影状態及び前記マクロ撮影状態におけるそれぞれ最近距離の表示を円周方向の同じ位相位置に表示し、前記通常撮影状態及び前記マクロ撮影状態におけるそれぞれの最遠距離の表示を円周方向の同じ位相位置に有する、
請求項１に記載のレンズ鏡筒。
【請求項３】
前記フォーカシング操作部は、オートフォーカス設定部を有し、
前記指標環は、前記通常撮影状態及び前記マクロ撮影状態のそれぞれのオートフォーカスモードの表示を、円周方向の同位相位置に有する、
請求項１に記載のレンズ鏡筒。
【請求項４】
前記指標環は、前記フォーカシング操作部と回転方向のみに係合して駆動する、
請求項１に記載のレンズ鏡筒。
【請求項５】
前記指標環と前記フォーカシング操作部との間に防塵シートが介在する、
請求項１に記載のレンズ鏡筒。
【請求項６】
請求項１から５のいずれかに記載のレンズ鏡筒を備える、撮像装置。
【手続補正３】
【補正対象書類名】図面
【補正対象項目名】全図
【補正方法】変更
【補正の内容】
【図１】
2015087480.tif 000017
【図２】
2015087480.tif 000018
【図３】
2015087480.tif 000019
【図４Ａ】
2015087480.tif 000020
【図４Ｂ】
2015087480.tif 000021
【図４Ｃ】
2015087480.tif 000022
【図５Ａ】
2015087480.tif 000023
【図５Ｂ】
2015087480.tif 000024
【図５Ｃ】
2015087480.tif 000025
【図６Ａ】
2015087480.tif 000026
【図６Ｂ】
2015087480.tif 000027
【図７Ａ】
2015087480.tif 000028
【図７Ｂ】
2015087480.tif 000029
【図８】
2015087480.tif 000030
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
複数のレンズ群からなる光学系と、
通常撮影領域と前記通常撮影領域の至近距離位置よりも近い被写体に焦点位置を変化させることができるマクロ撮影領域で、前記光学系の焦点位置を変化させることが可能なフォーカシング操作部と、
前記光学系の前記複数のレンズ群のうち少なくとも一部のレンズ群を移動させることで、通常撮影状態とマクロ撮影状態を切り替える撮影状態切替部と、
前記通常撮影状態における被写体距離を示す通常目盛と、前記通常目盛と異なる位置に設けられ前記マクロ撮影状態における被写体距離を示すマクロ目盛と、を有する指標環とを備え、
前記撮影状態切替部は、前記指標環の前記通常目盛と前記マクロ目盛の一方を表示して他方を非表示に切り替え、
前記フォーカシング操作部は、回転操作によって前記指標環が表示する焦点位置を変更する、
レンズ鏡筒。
【請求項２】
前記指標環は、前記通常撮影状態及び前記マクロ撮影状態におけるそれぞれ最近距離の表示を円周方向の同じ位相位置に表示し、前記通常撮影状態及び前記マクロ撮影状態におけるそれぞれの最遠距離の表示を円周方向の同じ位相位置に有する、
請求項１に記載のレンズ鏡筒。
【請求項３】
前記フォーカシング操作部は、オートフォーカス設定部を有し、
前記指標環は、前記通常撮影状態及び前記マクロ撮影状態のそれぞれのオートフォーカスモードの表示を、円周方向の同位相位置に有する、
請求項１に記載のレンズ鏡筒。
【請求項４】
前記指標環は、前記フォーカシング操作部と回転方向のみに係合して駆動する、
請求項１に記載のレンズ鏡筒。
【請求項５】
前記指標環と前記フォーカシング操作部との間に防塵シートが介在する、
請求項１に記載のレンズ鏡筒。
【請求項６】
請求項１から５のいずれかに記載のレンズ鏡筒を備える、撮像装置。
【手続補正２】
【補正対象書類名】明細書
【補正対象項目名】０００５
【補正方法】変更
【補正の内容】
【０００５】
本開示におけるレンズ鏡筒は、複数のレンズからなる光学系と、通常撮影領域と前記通常撮影領域の至近距離位置よりも近い被写体に焦点位置を変化させることができるマクロ撮影領域で、光学系の焦点位置を変化させることが可能なフォーカシング操作部と、光学系の複数のレンズ群のうち少なくとも一部のレンズ群を移動させることで、通常撮影状態とマクロ撮影状態を切り替える撮影状態切替部と、通常撮影状態における被写体距離を示す通常目盛と、通常目盛と異なる位置に設けられマクロ撮影状態における被写体距離を示すマクロ目盛と、を有する指標環と、を備える。そして、撮影状態切替部は、指標環の通常目盛とマクロ目盛の一方を表示して他方を非表示に切り替え、フォーカシング操作部は、回転操作によって指標環が表示する焦点位置を変更する。
【手続補正３】
【補正対象書類名】明細書
【補正対象項目名】０００６
【補正方法】変更
【補正の内容】
【０００６】
本開示における撮像装置は、複数のレンズからなる光学系と、通常撮影領域と前記通常撮影領域の至近距離位置よりも近い被写体に焦点位置を変化させることができるマクロ撮影領域で、光学系の焦点位置を変化させることが可能なフォーカシング操作部と、光学系の複数のレンズ群のうち少なくとも一部のレンズ群を移動させることで、通常撮影状態とマクロ撮影状態を切り替える撮影状態切替部と、通常撮影状態における被写体距離を示す通常目盛とマクロ撮影状態における被写体距離を示すマクロ目盛とを有する指標環とを備えるレンズ鏡筒を備える。そして、レンズ鏡筒の指標環は、撮影状態切替部の操作に応じて通常目盛とマクロ目盛の一方を表示して他方を非表示に切り替え、フォーカシング操作部の回転操作に応じた焦点位置を表示する。
【国際調査報告】
2015087480.tif 000031
2015087480.tif 000032